(57)【要約】【課題】簡易かつ効率的な態様で照明装置に関する保守管理を行うことを可能とする照明制御システムを提供する。【解決手段】照明制御システム１は、照明装置２のポール２０の内部又は外部に取り付けられて作業者Ｗによるポール２０への打撃の大きさを打撃検出値として出力するセンサ３と、ポール２０の内部又は外部に取り付けられ、打撃検出値に基づいて打撃パターンを解析する打撃解析部４１、打撃パターンが所定パターンに対応する場合に所定パターンに対応するコマンド及び自機の無線アドレスを含む要求信号を生成する要求生成部４２、照明装置２を照明制御する照明制御部４３並びに要求信号を無線送信する無線接続部４５を含む子機４と、無線接続部４５から要求信号を無線受信する無線接続部５５及び要求信号に含まれる無線アドレスに関して行われるべき管理動作を要求信号に含まれるコマンドに基づいて決定する動作決定部５１を含む親機５とを含む。【選択図】  図２
2019216072.tif 000002
【特許請求の範囲】
【請求項１】
照明制御システムであって、
照明装置のポールの内部又は外部に取り付けられ、作業者による前記ポールへの打撃の大きさを打撃検出値として出力するセンサと、
前記ポールの内部又は外部に取り付けられ、前記打撃検出値に基づいて打撃パターンを解析する打撃解析部、前記打撃パターンが所定パターンに対応する場合に該所定パターンに対応するコマンド及び自機の無線アドレスを含む要求信号を生成する要求生成部、前記照明装置を照明制御する照明制御部、並びに前記要求信号を無線送信する子機無線接続部を含む子機と、
前記子機無線接続部と無線通信可能に構成されて前記要求信号を無線受信する親機無線接続部、及び前記要求信号に含まれる前記無線アドレスに関して行われるべき管理動作を前記要求信号に含まれる前記コマンドに基づいて決定する動作決定部を含む親機と
を備える照明制御システム。
【請求項２】
前記親機と通信可能に構成された制御機をさらに備え、
前記打撃パターンが第１のパターンに対応する場合に、前記要求生成部が、前記管理動作として前記無線アドレスと該無線アドレスに対応する前記子機の位置情報とを関連付けるための関連付け要求を前記コマンドに含め、前記動作決定部が前記要求信号を前記制御機に送信するように構成され、
前記制御機が、前記関連付け要求に応じて、前記作業者の携帯端末の位置情報を取得して該位置情報を前記要求信号に含まれる前記無線アドレスに関連付けるように構成された、請求項１に記載の照明制御システム。
【請求項３】
前記制御機が、さらに、前記無線アドレスと前記位置情報とが関連付けられた地図を表示部に表示させるように構成された、請求項２に記載の照明制御システム。
【請求項４】
前記親機と通信可能に構成された制御機をさらに備え、
前記打撃パターンが所定パターンに対応する場合に、前記要求生成部が、前記管理動作として前記無線アドレスと該無線アドレスに対応する前記子機の位置情報との関連付けを解除するための関連付け解除要求を前記コマンドに含め、前記動作決定部が前記要求信号を前記制御機に送信するように構成され、
前記制御機が、前記関連付け解除要求に応じて、前記無線アドレスと前記位置情報との関連付けを解除するように構成された、請求項２又は３に記載の照明制御システム。
【請求項５】
前記親機と通信可能に構成された制御機をさらに備え、
前記打撃パターンが第３のパターンに対応する場合に、前記要求生成部が、前記管理動作として前記打撃の位置を作業位置として通知するための作業位置通知要求を前記コマンドに含め、前記動作決定部が前記要求信号を前記制御機に送信するように構成され、
前記制御機が、前記作業位置通知要求に応じて、前記無線アドレスに関連付けられた位置情報が示す位置を前記作業位置として表示部に表示するように構成された、請求項２から４のいずれか一項に記載の照明制御システム。
【請求項６】
前記親機が、前記子機からの受信信号の強度を測定する受信強度測定部、及び前記親機と前記子機の間の無線接続状態の良否を前記受信強度測定部を用いて判定する無線通信テストを実行する通信テスト部をさらに含み、
前記打撃パターンが第４のパターンに対応する場合に、前記要求生成部が、前記管理動作として親機と前記子機の間の無線通信テストを実行するための無線テスト要求を前記コマンドに含め、
前記通信テスト部が、前記無線テスト要求に応じて前記無線通信テストを実行するように構成された、請求項１から５のいずれか一項に記載の照明制御システム。
【請求項７】
前記通信テスト部が、前記無線通信テストの判定結果を前記制御機に送信するように構成され、
前記制御機が、前記判定結果を表示部に表示するように構成された、請求項６に記載の照明制御システム。
【請求項８】
前記通信テスト部が、前記無線通信テストの判定結果を前記制御機に送信するように構成され、
前記制御機が、前記判定結果を前記作業者の携帯端末に送信するように構成された、請求項６に記載の照明制御システム。
【請求項９】
前記通信テスト部が、前記無線通信テストの判定結果に応じた点消灯態様を実行するための照明制御信号を前記子機に送信するように構成され、
前記照明制御部が、前記照明制御信号に応じて前記照明装置を照明制御するように構成された、請求項６に記載の照明制御システム。
【請求項１０】
前記打撃パターンが照明制御用パターンに対応する場合に、前記要求生成部が前記要求信号を前記照明制御部に出力し、前記照明制御部が、所定制御時間にわたって前記照明装置の点消灯状態を変化させるための照明制御信号を出力するように構成された、請求項１から９のいずれか一項に記載の照明制御システム。
【請求項１１】
前記点消灯状態の変化が、相対的に暗い点消灯状態と相対的に明るい点灯状態との反転である、請求項１０に記載の照明制御システム。
【請求項１２】
前記打撃検出値に基づく前記要求信号の生成が、前記子機又は前記親機の電源投入後の所定有効期間のみ有効となるように構成された、請求項１から１１のいずれか一項に記載の照明制御システム。
【請求項１３】
前記打撃検出値に基づく前記要求信号の生成が、前記制御機によって指定された有効期間のみ又は前記制御機によって指定された子機のみ有効となるように構成された、請求項１から１２のいずれか一項に記載の照明制御システム。
【請求項１４】
前記センサが加速度センサ又は感振センサであり、前記打撃検出値が加速度である、請求項１から１３のいずれか一項に記載の照明制御システム。
【請求項１５】
前記センサが音響センサであり、前記打撃検出値が所定周波数の音圧レベルである、請求項１から１３のいずれか一項に記載の照明制御システム。
【請求項１６】
前記ポールが、地面に立設される本体部及び該本体部の先端に取り付けられた灯具部を含み、前記センサ及び前記子機の少なくとも一方が前記灯具部に内蔵された、請求項１から１５のいずれか一項に記載の照明制御システム。
【請求項１７】
照明装置であって、
光源と、
照明制御信号に応じて前記光源に電力を供給する点灯装置と、
前記光源及び前記点灯装置が取り付けられたポールと、
前記ポールの内部又は外部に取り付けられて該ポールへの打撃の大きさを打撃検出値として出力するセンサと、
前記ポールの内部又は外部に取り付けられ、前記打撃検出値に基づいて打撃パターンを解析する打撃解析部、前記打撃パターンが所定パターンに対応する場合に要求信号を生成する要求生成部、及び前記要求信号の生成に応じて所定制御時間にわたって相対的に暗い点消灯状態と相対的に明るい点灯状態とを反転させる前記照明制御信号を出力する照明制御部を含む照明制御用装置と
を備えた照明装置。
【請求項１８】
前記打撃検出値に基づく前記照明制御信号の出力が、前記照明制御用装置の電源投入後の所定有効期間のみ有効となるように構成された、請求項１７に記載の照明装置。
【請求項１９】
前記センサが加速度センサ又は感振センサであり、前記打撃検出値が加速度である、請求項１７又は１８に記載の照明装置。
【請求項２０】
前記センサが音響センサであり、前記打撃検出値が所定周波数の音圧レベルである、請求項１７又は１８に記載の照明装置。
【請求項２１】
前記ポールが、地面に立設される本体部及び該本体部の先端に取り付けられた灯具部を含み、前記センサ及び前記照明制御用装置の少なくとも一方が前記灯具部に内蔵された、請求項１７から２０のいずれか一項に記載の照明装置。
【発明の詳細な説明】
【技術分野】
【０００１】
本発明は、照明制御システム及び照明装置に関する。
【背景技術】
【０００２】
特許文献１の照明システムは、固有アドレスを識別可能な識別情報が胴体の外面に記録された照明装置、及び照明装置の胴体の外面に記録された識別情報を読み取り、照明装置の固有アドレス情報を取得し、取得した固有アドレス情報と照明装置の位置情報とを整合させて照明装置の登録を行う照明登録装置を含む。
【先行技術文献】
【特許文献】
【０００３】
【特許文献１】特開２０１５−２６６１５号公報
【発明の概要】
【発明が解決しようとする課題】
【０００４】
しかし、照明装置又は照明装置を制御するための装置（例えば子機）をポールに設置する際に、必ずしもそれぞれの識別情報が記録された状態で設置が行われるとは限らない。また、子機はポールの高所に設置されることが多く、さらには子機にスイッチなどの識別用手段が設けられない場合が多い。したがって、子機をポールに設置した後に子機の識別情報、位置情報などを特定する必要が生じた場合には、子機を回収するための高所作業、回収した子機の分解調査、子機設置位置の記録作業などが必要となり、保守管理の作業が煩雑かつ非効率となるという問題があった。
【０００５】
そこで、本発明は、簡易かつ効率的な態様で照明装置に関する保守管理を行うことを可能とする照明制御システム及び照明装置を提供することを課題とする。
【課題を解決するための手段】
【０００６】
本発明の照明制御システムは、照明装置のポールの内部又は外部に取り付けられて作業者によるポールへの打撃の大きさを打撃検出値として出力するセンサと、ポールの内部又は外部に取り付けられ、打撃検出値に基づいて打撃パターンを解析する打撃解析部、打撃パターンが所定パターンに対応する場合に所定パターンに対応するコマンド及び自機の無線アドレスを含む要求信号を生成する要求生成部、照明装置を照明制御する照明制御部並びに要求信号を無線送信する子機無線接続部を含む子機と、子機無線接続部と無線通信可能に構成されて要求信号を受信する親機無線接続部及び要求信号に含まれる無線アドレスに関して行われるべき管理動作を要求信号に含まれるコマンドに基づいて決定する動作決定部を含む親機とを備える。
【０００７】
上記照明制御システムによると、作業者による照明装置のポールへの打撃に基づいて、コマンド及び無線アドレスを含む要求信号が子機から親機に送信され、コマンドに応じた管理動作が当該無線アドレスに対して決定される。これにより、子機を照明装置に設置した後に、子機を回収するための高所作業、回収した子機の分解調査、子機設置位置の記録作業などが不要となる。言い換えると、子機の設置時に後の作業のことを考慮する必要がなく、迅速かつ効率的な子機設置作業が可能となる。したがって、簡易かつ効率的な態様で照明装置に関する保守管理を行うことを可能とする照明制御システムが実現される。
【０００８】
上記照明制御システムは、親機と通信可能に構成された制御機を備え、打撃パターンが第１のパターンに対応する場合に、要求生成部が、管理動作として無線アドレスと無線アドレスに対応する子機の位置情報とを関連付けるための関連付け要求をコマンドに含め、動作決定部が要求信号を制御機に送信するように構成され、制御機は、関連付け要求に応じて、作業者の携帯端末の位置情報を取得して位置情報を要求信号に含まれる無線アドレスに関連付けるように構成される。これにより、作業者によるポールへの打撃に基づいて、簡易かつ効率的な態様で、子機の無線アドレスと位置情報との関連付けが実行可能となる。
【０００９】
ここで、制御機は、無線アドレスと位置情報とが関連付けられた地図を表示部に表示させるように構成されることが好ましい。これにより、子機の設置に関する視覚的管理が促進される。
【００１０】
上記照明制御システムは、親機と通信可能に構成された制御機を備え、打撃パターンが第２のパターンに対応する場合に、要求生成部が、管理動作として無線アドレスと無線アドレスに対応する子機の位置情報との関連付けを解除するための関連付け解除要求をコマンドに含め、動作決定部が要求信号を制御機に送信するように構成され、制御機は、関連付け解除要求に応じて、無線アドレスと位置情報との関連付けを解除するように構成される。これにより、子機の交換などの際に、作業者によるポールへの打撃に基づいて、簡易かつ効率的な態様で、それまで設置されていた子機の無線アドレスと位置情報との関連付けの解除が可能となる。
【００１１】
上記照明制御システムは、親機と通信可能に構成された制御機を備え、打撃パターンが第３のパターンに対応する場合に、要求生成部が、管理動作として打撃が行われた作業位置を通知するための作業位置通知要求をコマンドに含め、動作決定部が要求信号を制御機に送信するように構成され、制御機は、作業位置通知要求に応じて、無線アドレスに既に関連付けられている位置情報が示す位置を作業位置として表示部に表示するように構成される。これにより、作業者によるポールへの打撃に基づいて、簡易かつ効率的な態様で、制御機において作業位置又は作業者の位置の特定が可能となる。
【００１２】
上記照明制御システムにおいて、親機は、子機からの受信信号の強度を測定する受信強度測定部及び子機と親機の間の無線接続状態の良否を受信強度測定部を用いて判定する無線通信テストを実行する通信テスト部をさらに含み、打撃パターンが第４のパターンに対応する場合に、要求生成部が、管理動作として親機と子機の間の無線通信テストを実行するための無線テスト要求をコマンドに含め、前記通信テスト部が前記無線テスト要求に応じて前記無線通信テストを実行するように構成される。このように作業者によるポールへの打撃に基づいて子機と親機の間の無線通信テストが実行されるので、無線通信状態の確認が容易化される。
【００１３】
ここで、通信テスト部が無線通信テストの判定結果を制御機に送信するように構成され、制御機が判定結果を表示部に表示するように構成され得る。これにより、無線通信テストの判定結果が制御機において得られ、照明制御システムの統括的な保守管理が可能となる。
【００１４】
また、通信テスト部が無線通信テストの判定結果を制御機に送信するように構成され、制御機が判定結果を作業者の携帯端末に送信するように構成されてもよい。これにより、作業者はその携帯端末を介して無線通信テストの判定結果を即座に知ることができ、照明制御システムの効率的な保守管理作業が可能となる。
【００１５】
また、通信テスト部が、無線通信テストの判定結果に応じた点消灯態様を実行するための照明制御信号を子機に送信するように構成され、照明制御部が照明制御信号に応じて照明装置を照明制御するように構成されてもよい。これにより、作業者は作業現場の照明によって無線通信テストの判定結果を即座に知ることができ、照明制御システムの効率的な保守管理作業が可能となる。
【００１６】
上記照明制御システムにおいて、打撃パターンが照明制御用パターンに対応する場合に、要求生成部が要求信号を照明制御部に出力し、照明制御部は所定制御時間にわたって照明装置の点消灯状態を変化させるための照明制御信号を出力するように構成される。これにより、作業者は、当該照明装置において上記各機能を実行可能なセンサ及び子機が設置されていることを容易に知ることができる。ここで、点消灯状態の変化は、相対的に暗い点消灯状態と相対的に明るい点灯状態との反転であることが好ましい。これにより、作業状況に応じて必要な明るさを得ること又は不要な明るさを抑えることが可能となり、保守作業が促進される。
【００１７】
本発明の照明装置は、光源と、照明制御信号に応じて光源に電力を供給する点灯装置と、光源及び点灯装置が取り付けられたポールと、ポールの内部又は外部に取り付けられてポールへの打撃の大きさを打撃検出値として出力するセンサと、ポールの内部又は外部に取り付けられ、打撃検出値に基づいて打撃パターンを解析する打撃解析部、打撃パターンが所定パターンに対応する場合に要求信号を生成する要求生成部及び要求信号の生成に応じて所定制御時間にわたって相対的に暗い点消灯状態と相対的に明るい点灯状態とを反転させる照明制御信号を出力する照明制御部を含む照明制御用装置とを備える。
【００１８】
上記構成によると、照明装置のポールへの打撃に基づいて光源の点消灯状態における明暗を所定制御時間にわたって反転させることが可能となる。したがって、当該照明装置自体の保守作業などにおいて、作業状況に応じて必要な明るさを得ること又は不要な明るさを抑えることが可能となり、保守作業が促進される。
【００１９】
上記いずれかの照明制御システム又は照明装置において、打撃検出値に基づく要求信号の生成は、子機若しくは照明制御用装置又は親機の電源投入後の所定の有効期間のみ有効となるように構成され得る。また、打撃検出値に基づく要求信号の生成が、制御機によって指定された有効期間のみ又は前記制御機によって指定された子機のみ有効となるように構成されてもよい。これにより、悪戯による打撃又は偶発的な打撃に起因する不要な動作が防止される。
【００２０】
また、上記いずれかの照明制御システム又は照明装置において、センサは加速度センサ又は感振センサであり、打撃検出値が加速度であることが望ましい。これにより、作業者が打撃に使用する道具の材質にかかわらず、確実に打撃が検出され得る。あるいは、センサは音響センサであり、打撃検出値が所定周波数の音圧レベルであってもよい。これにより、特に打撃に使用される道具が比較的硬質なものである場合に、高い確度で打撃が検出され得る。
【００２１】
また、上記いずれかの照明制御システム又は照明装置において、ポールが、地面に立設される本体部及びその本体部の先端に取り付けられた灯具部を含み、センサ及び子機又は照明用制御装置の少なくとも一方が灯具部に内蔵される。これにより、照明装置における高い施工性が得られる。
【図面の簡単な説明】
【００２２】
【図１】本発明の実施形態による照明制御システムの概略構成図である。
【図２】本発明の実施形態による照明制御システムのブロック図である。
【図３】本発明の実施形態における関連付け処理の信号フロー図である。
【図４】本発明の実施形態における関連付け解除の信号フロー図である。
【図５】本発明の実施形態における作業者位置通知の信号フロー図である。
【図６】本発明の実施形態における無線通信テストの信号フロー図である。
【発明を実施するための形態】
【００２３】
＜実施形態＞
図１に、本発明の実施形態による照明制御システム１の概略構成図を示す。照明制御システム１は、照明装置２、センサ３、子機４、親機５、制御機６及び携帯端末７を含む。照明装置２は、ポール２０（本体部２０ａ及び灯具部２０ｂ）、光源２１、点灯装置２２、センサ３及び子機４を含む。以下において、照明装置２のうちの、ポール２０、光源２１及び点灯装置２２をまとめて照明器具というものとする。センサ３及び子機４は、照明装置２のポール２０に内蔵され、センサ３は子機４に接続され、子機４は照明装置２の点灯装置２２に接続される。子機４と親機５とは無線接続され、親機５と制御機６とは有線接続又は無線接続され、制御機６と携帯端末７とは無線接続される。携帯端末７は、作業者Ｗによって携帯される。また、作業者Ｗは、ポール２０（灯具部２０ｂ）に打撃を加える（すなわち、叩く）ためのハンマーなどの適宜の道具Ｔを保持しているものとする。ポール２０は、一般的な金属製ポールであればよく、特殊なポールである必要はない。また、ハンマーなどの道具Ｔも、打撃が可能な汎用的な道具であればよく、専用の工具である必要はない。あるいは、打撃は、作業者Ｗの素手（例えば掌）、肘など身体の一部によって加えられてもよいし、作業者Ｗの靴の爪先又は踵など作業着の一部によって加えられてもよい。
【００２４】
なお、図１においては、１組の親機５及び制御機６に対して１組の照明装置２（センサ３及び子機４）を示すが、照明制御システム１は、実際には、１組の親機５及び制御機６に対して複数組の照明装置２（センサ３及び子機４）を有し得る。また、図１においては、１台の制御機６に対して１台の親機５を示すが、１台の制御機６に対して複数台の親機５が接続されてもよい。
【００２５】
図２に、本実施形態による照明制御システム１のブロック図を示す。以下、図１及び図２を併せて参照して、照明制御システム１の各部の構成及び動作を説明する。なお、点灯装置２２、センサ３、子機４、親機５及び制御機６は、それぞれ適宜の電源（例えば、不図示の商用電源など）によって給電されているものとする。
【００２６】
照明装置２の照明器具は、例えば、街路灯、道路灯などであり、ポール２０、光源２１及び点灯装置２２を備える。ポール２０の本体部２０ａは地面に立設され、ポール２０の灯具部２０ｂは本体部２０ａの先端に取り付けられる。本体部２０ａは金属製の中空円筒体であり、本実施形態では先端側が屈曲している。灯具部２０ｂに光源２１が配置される。点灯装置２２は、光源２１を点灯するための電源装置であり、ポール２０の地面側からの配線（不図示）を介して入力される交流電源（例えば、商用電源）を所定の出力電流に変換してそれを光源２１に供給する。例えば、光源２１がＬＥＤである場合には、点灯装置２２は、交流入力電源を全波整流する整流回路、及び整流回路の全波整流出力を光源２１の点灯に適した直流出力電流に変換するＤＣ／ＤＣコンバータを含む。ＤＣ／ＤＣコンバータの出力状態、すなわち、直流出力電流の出力若しくは停止又は直流出力電流の出力レベルは、子機４から入力される照明制御信号に応じて決定される。なお、図１では、点灯装置２２が光源２１と一体的に（すなわち、灯具部２０ｂの部分に）配置される構成を示すが、点灯装置２２はポール２０の内部であれば本体部２０ａに設置されてもよい。
【００２７】
センサ３は、本実施形態では加速度センサ又は感振センサである。センサ３は、ポール２０への打撃の大きさを加速度（打撃検出値）として検出及び出力する。すなわち、作業者Ｗがハンマーなどによってポール２０に打撃を加えると、ポール２０において加速度及び振動が生じ、この加速度又は振動がセンサ３によって検出される。なお、本開示では、振動を検出する振動センサも、上記加速度センサ又は感振センサと同義であるものとする。本実施形態では、センサ３はポール２０の内部に取り付けられるが、ポール２０の外面に取り付けられてもよい。また、図１ではセンサ３は本体部２０ａに内蔵されているが、センサ３は灯具部２０ｂに内蔵されてもよい。別の観点では、センサ３は、子機４に内蔵されていてもよいし、子機４と一体化されていてもよいし、子機４とは別置されてもよい。あるいは、センサ３は、子機４の位置にかかわらず、打撃を検出しやすい位置（例えば、加速度又は振動が最大となり得る灯具部２０ｂ、打撃点となりやすい本体部２０ａの地上１．５ｍ程度の位置）に設置されてもよいし、設置が容易な位置（例えば、本体部２０ａの保守用の扉付近）であってもよい。
【００２８】
子機４は無線子機であり、ＣＰＵ４０、メモリ４４及び無線接続部４５（子機無線接続部）を含み、ＣＰＵ４０は打撃解析部４１、要求生成部４２及び照明制御部４３を含む。ＣＰＵ４０は、打撃解析部４１、要求生成部４２及び照明制御部４３の機能とともに、各部の統括制御、無線接続部４５の通信制御など、特に明記しない子機ＣＰＵとしての一般的な機能も実行可能であるものとする。メモリ４４は、プログラム及びデータを記憶するＲＡＭ、ＲＯＭなどの記憶部であり、本実施形態を実行するためのプログラムが既に書き込まれているものとする。ＣＰＵ４０及びメモリ４４は１つのマイクロコンピュータに含まれ得る。なお、本実施形態では子機４はポール２０の内部に取り付けられるが、ポール２０の外面に取り付けられてもよい。また、図１では子機４は本体部２０ａに内蔵されているが、子機４は灯具部２０ｂに内蔵されてもよい。
【００２９】
すなわち、ポール２０、センサ３及び子機４について、センサ３及び子機４が本体部２０ａに取り付けられてもよいし、センサ３及び子機４の一方が本体部２０ａに取り付けられて他方が灯具部２０ｂに取り付けられてもよいし、センサ３及び子機４が灯具部２０ｂに取り付けられてもよい。そして、センサ３及び子機４の耐候条件（防雨、防塵、防汚など）を考慮して、好ましくは、センサ３及び子機４が本体部２０ａに内蔵され、センサ３及び子機４の一方が本体部２０ａに内蔵されて他方が灯具部２０ｂに内蔵され、又はセンサ３及び子機４が灯具部２０ｂに内蔵される。特に新設の照明装置２の場合、施工性を考慮すると、点灯装置２２、センサ３及び子機４は灯具部２０ｂに内蔵されることが好ましい。
【００３０】
打撃解析部４１は、センサ３によって出力される加速度（打撃検出値）に基づいて、打撃パターンを解析する。本実施形態では、打撃解析部４１は、所定時間内（例えば、１０秒間）において加速度が閾値を超えた回数を打撃回数（すなわち、作業者Ｗがポール２０を叩いた回数）として特定する。
【００３１】
要求生成部４２は、打撃パターンが所定パターンに対応する場合にその所定パターンに対応するコマンドを生成する。例えば、要求生成部４２は、所定時間内における打撃回数に応じたコマンドを生成する。作業者Ｗによるポール２０への打撃に基づくコマンドは、例えば、明暗反転要求（又は点消灯反転要求）Ｒ０、関連付け要求Ｒ１、関連付け解除要求Ｒ２、作業位置通知要求Ｒ３又は無線テスト要求Ｒ４を含み得る。明暗反転要求Ｒ０は、所定時間だけ照明装置２の点灯／消灯を反転させる要求である。関連付け要求Ｒ１は、制御機６において子機４の無線アドレスと位置情報の関連付けを実行させるための要求である。関連付け解除要求Ｒ２は、制御機６において子機４の無線アドレスと位置情報の関連付けを解除するための要求である。作業位置通知要求Ｒ３は、作業者Ｗの位置（又は作業位置）を制御機６に通知するための要求である。無線テスト要求Ｒ４は、親機５と子機４の間の無線通信テストを実行させるための要求である
【００３２】
所定時間（本例では１０秒）における打撃パターンとコマンドの要求の関係については、例えば、以下のように設定され得る。なお、以下は例示であり、打撃パターンとコマンドの要求の関係は他の態様で定義されてもよい。
１０秒間に３回の打撃（照明制御用パターン）：明暗反転要求Ｒ０
１０秒間に４回の打撃（関連付け用パターン）：関連付け要求Ｒ１
１０秒間に５回の打撃（関連解除用パターン）：関連付け解除要求Ｒ２
１０秒間に６回の打撃（位置通知用パターン）：作業位置通知要求Ｒ３
１０秒間に７回の打撃（無線テスト用パターン）：無線テスト要求Ｒ４
【００３３】
要求生成部４２は、上記の打撃パターンの特定に応じて、自機の無線アドレス（子機無線アドレス）及び生成されたコマンド（要求）を含む要求信号を生成する。本開示では、無線アドレスは、例えば、ショートアドレスである。関連付け要求Ｒ１、関連付け解除要求Ｒ２、作業位置通知要求Ｒ３又は無線テスト要求Ｒ４がコマンドに含まれる場合には、要求生成部４２は要求信号を無線接続部４５から親機５に無線送信させる。この要求信号には、打撃回数を特定した時刻又は要求信号を生成した時刻（以下、「打撃時刻」という）が含まれてもよい。一方、明暗反転要求Ｒ０がコマンドに含まれる場合には、要求生成部４２は要求信号を照明制御部４３に出力する。
【００３４】
照明制御部４３は、親機５から無線接続部４５を介して受信される照明制御信号に応じて、照明装置２の点灯装置２２（例えば、ＤＣ／ＤＣコンバータ）の動作状態を制御する。すなわち、照明制御部４３は、照明制御信号に応じて光源２１を点消灯制御する。照明制御部４３から点灯装置２２の制御には、一般的なＰＷＭ信号、リレースイッチによるオン／オフ信号、ＤＣアナログ電圧信号などが用いられる。なお、本開示において、点消灯制御は、特に断りがない限り、光源２１の全光点灯（調光率１００％での点灯）、消灯、調光点灯、点滅、明滅、調色（発光色の可変制御）などの種々の点灯態様の制御を含むものとする。
【００３５】
ここで、要求生成部４２から明暗反転要求Ｒ０を含むコマンドが入力される場合、照明制御部４３は所定制御時間だけ一時的に点灯／消灯を反転させるための照明制御信号を生成する。すなわち、例えば、昼間などに照明装置２が消灯されている状態において明暗反転要求Ｒ０が生成された場合には、照明装置２は所定制御時間だけ点灯（例えば全光点灯）される。逆に、夜間などに照明装置２が点灯されている状態において明暗反転要求Ｒ０が生成された場合には照明装置２は所定制御時間だけ消灯される。この所定制御時間は、１〜５秒程度、好ましくは３秒程度であればよい。
【００３６】
なお、明暗反転要求Ｒ０に対する点消灯状態の変化は、必ずしも点灯／消灯の反転でなくてもよく、相対的に暗い点消灯状態（消灯、調光率２５％以下の低調光率点灯など）と相対的に明るい点灯状態（全光点灯、調光率７５％以上の高調光率点灯など）との反転であってもよい。また、作業者Ｗに対する何らかの通知を目的とするものであれば、例えば、所定制御時間だけ調光率が変化するように照明制御信号が構成されてもよいし、所定制御時間だけ点滅又は明滅が実行されるように照明制御信号が構成されてもよい。あるいは、所定制御時間だけ発光色が変化するように照明制御信号が構成されてもよい。例えば、通常点灯時において白色点灯が実行され、所定制御時間だけ赤色、青色などの他の発光色での点灯が実行されてもよい。
【００３７】
無線接続部４５は、親機５（無線接続部５５）と無線通信を行う無線モジュールである。例えば、無線接続部４５は、親機５から照明制御信号を受信することもできるし、親機５に要求信号を送信することもできる。子機４と親機５とは、例えば、サブギガ帯（例えば９２０ＭＨｚ帯）などを利用する特定小電力無線によって無線接続される。ただし、子機４と親機５とは、Ｗｉ−ＳＵＮ、ＺｉｇＢｅｅ（登録商標）、ＢＬＥなどの通信規格に準拠した他の無線通信によって接続されてもよい。
【００３８】
親機５は無線親機であり、ＣＰＵ５０、メモリ５４、無線接続部５５（親機無線接続部）、受信強度測定部５６及び通信部５７を含み、ＣＰＵ５０は動作決定部５１、通信テスト部５２及び照明制御部５３を含む。ＣＰＵ５０は、動作決定部５１、通信テスト部５２及び照明制御部５３の機能とともに、各部の統括制御、無線接続部５５の通信制御など、特に明記しない親機ＣＰＵとしての一般的な機能も実行可能であるものとする。メモリ５４は、プログラム及びデータを記憶するＲＡＭ、ＲＯＭなどの記憶部であり、本実施形態を実行するためのプログラムが既に書き込まれているものとする。ＣＰＵ５０及びメモリ５４は１つのマイクロコンピュータに含まれ得る。通信部５７は制御機６（通信部６０）と通信を行う通信手段である。
【００３９】
動作決定部５１は、子機４から無線接続部５５を介して受信される要求信号に含まれるコマンドが関連付け要求Ｒ１、関連付け解除要求Ｒ２又は作業位置通知要求Ｒ３を示す場合に、その要求信号を適宜の信号形式に変換して通信部５７を介して制御機６に転送する。また、動作決定部５１は、子機４から無線接続部５５を介して受信される要求信号に含まれるコマンドが無線テスト要求Ｒ４を示す場合に、通信テスト部５２に要求信号を出力して通信テスト部５２を作動させる。
【００４０】
通信テスト部５２は、無線テスト要求Ｒ４を受けて、無線アドレスに対応する子機４と親機５との間の無線接続状態の良否を受信強度測定部５６によって判定するための無線通信テストを実行する。無線通信テストにおいて、通信テスト部５２は、テスト用フレームを子機４（無線接続部４５）と送受信する。また、無線テスト要求Ｒ４に応じて、不図示の他の子機と親機５の間の無線通信テストがマルチホップの利用によって併せて実行されてもよい。受信強度測定部５６は、ＲＳＳＩ（Received Signal Strength Indicator）の値を取得及び使用する。通信テスト部５２は、無線通信テストの判定結果を通信部５７を介して制御機６に送信する。
【００４１】
あるいは、通信テスト部５２は、無線通信テストの判定結果を表す照明制御信号を生成し、この照明制御信号を無線接続部５５を介して子機４に送信してもよい。この場合、照明制御信号は、判定結果の良否を点滅又は明滅などによって表すものであればよい。例えば、良判定及び否判定に対して、明暗が異なるように（例えば、良判定では全光点灯、否判定では低調光率又は消灯となるように）照明制御信号が構成され得る。あるいは、良判定及び否判定に対して、点滅又は明滅の回数が異なるように（例えば、良判定の場合よりも否判定の場合に点滅回数が多くなるように）照明制御信号が構成され得る。あるいは、良判定及び否判定に対して、点滅又は明滅の周波数が異なるように（例えば、良判定の場合よりも否判定の場合の点滅周波数が高くなるように）照明制御信号が構成されてもよい。
【００４２】
照明制御部５３は、自律的に又は制御機６からの指令に応じて、照明制御信号を無線接続部５５から子機４に送信させる。なお、照明制御信号は、通常点灯時において照明制御部５３によって生成される照明制御信号、及び通信テスト部５２によって生成される無線通信テストの判定結果を示す照明制御信号を含み得る。
【００４３】
無線接続部５５は、子機４（無線接続部４５）と無線通信を行う無線モジュールである。すなわち、上述してきたように、無線接続部５５は、子機４に照明制御信号を送信することもできるし、子機４から要求信号を受信することもできる。
【００４４】
制御機６は通信部６０、処理部６１、記憶部６６、表示部６７及び入力インターフェース（Ｉ／Ｆ）６８を含み、処理部６１は、関連付け処理部６２、関連付け解除部６３、作業位置通知部６４及び通信判定出力部６５を含む。制御機６は、例えば、岩崎電気株式会社製のＩＴＡＣＳ制御機又はそのソフトウェアがインストールされたパソコンなどのコンピュータであればよい。通信部６０は、親機５（通信部５７）との有線通信又は無線通信、及び携帯端末７（通信部７０）との無線通信を可能とする。処理部６１は、ＣＰＵなどで構成され、関連付け処理部６２、関連付け解除部６３、作業位置通知部６４及び通信判定出力部６５の機能とともに、各部の統括制御、通信部６０の通信制御など、特に明記しない制御機ＣＰＵとしての一般的な機能も実行可能であるものとする。記憶部６６は、プログラム及びデータを記憶するＲＡＭ、ＲＯＭなどのメモリであり、本実施形態を実行するためのプログラムがすでに書き込まれているものとする。表示部６７は液晶画面などのモニタ画面であり、入力Ｉ／Ｆ６８はキーボード、マウスなどの入力デバイスである。
【００４５】
携帯端末７は、スマートフォン、タブレットなどであり、通信部７０、ＣＰＵ７１、メモリ７２、測位モジュール７３及び入出力インターフェース（Ｉ／Ｆ）７４を備える。通信部７０は、制御機６（通信部６０）と通信可能な一般的な通信手段であればよい。ＣＰＵ７１及びメモリ７２は、一般的なコンピュータを構成するプロセッサ及びメモリであればよい。測位モジュール７３は、ＧＰＳ（Global Positioning System）、ＧＬＯＮＡＳＳ（Global Navigation Satellite System）、ＱＺＳＳ（Quasi-Zenith Satellite System：準天頂衛星システム）、Ｇａｌｉｌｅｏなどを利用して携帯端末７の現在位置情報を取得する。入出力Ｉ／Ｆ７４は、タッチパネルからなる表示画面である。
【００４６】
関連付け処理部６２は、コマンドが関連付け要求Ｒ１を示す場合に、携帯端末７に無線アドレスを送信するとともに、測位モジュール７３によって取得される位置情報（現在位置情報）を携帯端末７から取得する。なお、携帯端末７は、本実施形態の無線アドレスと位置情報の関連付け処理を実施するための所定のアプリケーション（以下、「関連付けアプリ」という）がインストールされた携帯端末であるものとする。
【００４７】
例えば、制御機６（関連付け処理部６２及び通信部６０）が、子機４の無線アドレス、関連付けアプリ起動のためのＵＲＬ、打撃時刻の表示などを含む情報をメールによって携帯端末７に送信する。ここで、関連付けアプリをインストール済みの携帯端末７は複数存在し得るが、作業者Ｗは、上記メールの受信タイミング（すなわち、打撃の直後に上記メールを受信したこと）、打撃時刻の表示などに基づいて、自己に関係するメールか否かを判断することができる。言い換えると、関連付けアプリがインストールされた携帯端末を有する他の作業者は、上記メールに心当たりがない場合には、当該メールを放置することができる。なお、打撃時刻は、親機５が要求信号を受信又は送信した時刻であってもよいし、制御機６が要求信号を受信した時刻であってもよい。携帯端末７は、作業者ＷによるＵＲＬのクリックに応じて関連付けアプリを起動させ、関連付けアプリ上でのユーザ操作に応じて測位モジュール７３（例えばＧＰＳ）を用いて現在位置情報を取得し、無線アドレスと現在位置情報とを関連付けたデータを制御機６に送信する。
【００４８】
関連付け処理部６２は、親機５からの要求信号に含まれる無線アドレス又は携帯端末７からの返信に含まれる無線アドレスと、携帯端末７からの返信を介して取得された位置情報とを関連付ける。さらに、関連付け処理部６２は、上記のようにして得られた無線アドレスと位置情報とが関連付けられた地図を表示部６７に表示させることが好ましい。なお、ＧＰＳなどの位置情報には誤差が含まれることを考慮して、制御機６のユーザが表示部６７の地図画面上の子機表示位置を手動で修正することを可能とする機能が付加されてもよい。関連付け処理部６２は、地図表示とともに又はそれに代えて、無線アドレスと位置情報の表記（住所、緯度及び経度、所定の座標表示など）とが関連付けられたテキスト、リストなどを表示部６７に表示させてもよい。関連付け処理部６２は、無線アドレスと位置情報の関連付けが完了したことに応じて、その旨の通知を携帯端末７に送信してもよい。
【００４９】
関連付け処理部６２による位置情報取得処理について、次の代替例が用いられてもよい。まず、作業者Ｗが携帯端末７において自発的に関連付けアプリを起動する。関連付けアプリの起動に応じて携帯端末７が測位機能を用いて取得した位置情報を制御機６に送信し、あるいは関連付けアプリの起動に伴って携帯端末７から自動送信されるリクエストに応じて制御機６が携帯端末７の位置情報を能動的に取得してもよい。いずれの場合であっても、関連付け処理部６２は、携帯端末７から位置情報を取得したことに応じて、指定時間内（例えば、５分以内）にポール２０に打撃を加える指示を携帯端末７に送信し、作業者Ｗによる打撃を誘導する。そして、指定時間内における作業者Ｗによるポール２０の打撃に起因して子機４から親機５を介して要求信号が受信されると、関連付け処理部６２は、要求信号に含まれる無線アドレスと上記処理によって既に取得されている位置情報とを関連付ける。
【００５０】
関連付け解除部６３は、コマンドが位置関連付け解除要求Ｒ２を示す場合で、かつ既に要求信号に含まれる無線アドレスと位置情報とが関連付けられている場合に、当該無線アドレスと位置情報の関連付けを解除する。この関連付けの解除は、照明装置２（ポール２０）に対して子機４が交換された場合などに必要となり得る。関連付け解除部６３は、無線アドレスと位置情報の関連付け解除が完了したことに応じて、その旨の通知を携帯端末７に送信してもよい。
【００５１】
作業位置通知部６４は、コマンドが作業位置通知要求Ｒ３を示す場合で、かつ要求信号に含まれる無線アドレスに位置情報が既に関連付けられている場合に、要求信号に含まれる無線アドレスに関連付けられた位置情報が示す位置を作業位置（又は作業者位置）として表示部６７に表示させる。この作業位置は、表示部６７において、地図表示されてもよいし、テキスト表示されてもよい。作業位置通知部６４は、作業位置通知が完了したことに応じて、その旨の通知を携帯端末７に送信してもよい。
【００５２】
また、作業位置通知要求Ｒ３に起因して表示部６７に作業者Ｗ１の作業位置が表示されている間に、他の作業者Ｗ２が他の照明装置２のポール２０（不図示）に打撃を加えて何らかの新たな要求（要求Ｒ０〜Ｒ４のいずれか）を発生させる状況も発生し得る。この場合、作業位置通知部６４は、他の作業者Ｗ２の作業位置を表示部６７に表示させることができる。またさらに、作業者Ｗ１〜Ｗｎの作業グループＸが構成されている場合に、そのいずれかの作業者Ｗｋが作業位置通知要求Ｒ３を発生させた場合に、作業位置通知部６４は、作業者Ｗ１〜Ｗｎ全員の直近の要求発生又は新たに発生した要求発生に基づいて特定された作業位置を表示部６７に表示させるようにしてもよい。上記の直近の要求生成又は新たな要求生成は、要求Ｒ０〜Ｒ４のいずれを発生させるものであってもよい。これにより、制御機６のユーザは、各作業現場に分散されている所定の作業者の配置を一元的に知ることができ、保守作業の管理性が高まる。
【００５３】
通信判定出力部６５は、親機５から無線通信テストの判定結果を受信した場合に、その判定結果を表示部６７に表示させることができる。また、通信判定出力部６５は、親機５から受信された無線通信テストの判定結果を通信部６０を用いて携帯端末７に送信するようにしてもよい。
【００５４】
なお、通常運用中の悪戯によるポール２０の打撃又は偶発的なポール２０の打撃による不要な動作を防止するために、要求信号又は打撃に基づく照明制御信号の生成若しくは送信が、子機４の電源投入後の所定有効期間のみ有効となるように構成され得る。例えば、ＣＰＵ４０は、子機４の電源投入後（すなわち、ＣＰＵ４０の起動後）から数分から数日間、好ましくは１時間程度などの所定の有効期間にのみ、センサ３、打撃解析部４１及び要求生成部４２の動作を有効化する。言い換えると、ＣＰＵ４０は、この有効期間の経過後に、センサ３、打撃解析部４１又は要求生成部４２の動作を無効化する。この有効期間は、例えば、同じ電源系統に接続される複数の子機４（すなわち、同時に給電が遮断及び投入される複数の子機４）の保守管理作業を実行可能な期間長であることが好ましい。
【００５５】
あるいは、要求信号の転送又は打撃に基づく照明制御信号の生成が、親機５の電源投入後の所定有効期間のみ有効となるように構成されてもよい。例えば、ＣＰＵ５０は、親機５の電源投入後（すなわち、ＣＰＵ５０の起動後）から数分から数日間、好ましくは１時間程度などの有効期間にのみ、動作決定部５１及び通信テスト部５２の動作を有効化する。言い換えると、ＣＰＵ５０は、この有効期間の経過後に、動作決定部５１及び通信テスト部５２の動作を無効化する。
【００５６】
あるいは、要求信号の転送又は打撃に基づく照明制御信号の生成が、制御機６によって指定された有効期間のみ有効となるように構成されてもよい。この場合、制御機６は有効期間を指定する要求有効化信号を親機５に対して出力し、親機５のＣＰＵ５０はこの有効期間にわたって動作決定部５１及び通信テスト部５２の動作を有効化する。言い換えると、ＣＰＵ５０はこの有効期間の経過後に、動作決定部５１及び通信テスト部５２の動作を無効化する。この有効期間は、制御機６によって任意に設定され得る。例えば、比較的広域の保守管理作業又は比較的多数の照明装置２の保守管理作業を行う場合には比較的長い有効期間が設定され、比較的狭域の保守管理作業又は比較的少数の照明装置２の保守管理作業を行う場合には比較的短い有効期間が設定され得る。また、要求信号の転送又は打撃に基づく照明制御信号の生成が、制御機６によって指定された子機４のみ有効となるように構成されてもよい。この場合、制御機６は有効化する子機４を指定する要求有効化信号を親機５に対して出力し、親機５のＣＰＵ５０はその子機４に対してのみ動作決定部５１及び通信テスト部５２の動作を有効化する。言い換えると、ＣＰＵ５０はこれ以外の子機４については、動作決定部５１及び通信テスト部５２の動作を無効化する。
【００５７】
上述したように、要求信号に含まれるコマンドは、点消灯反転要求Ｒ０、関連付け要求Ｒ１、関連付け解除要求Ｒ２、作業位置通知要求Ｒ３又は無線テスト要求Ｒ４を含み得る。以下、関連付け要求Ｒ１、関連付け解除要求Ｒ２、作業位置通知要求Ｒ３及び無線テスト要求Ｒ４について、図３〜図６を用いて各要求における信号フローを説明する。
【００５８】
図３に、関連付け要求Ｒ１についての信号フローを示す。
ステップＳ４００において、照明装置２、センサ３及び子機４（以下、「子機４など」という）に位置する作業者Ｗが、ポール２０に打撃を加える。ここでは、１０秒間の打撃回数が４回であるものとする。
ステップＳ４１０において、子機４の打撃解析部４１が、１０秒間に４回の打撃が行われたこと、すなわち打撃パターンが関連付け用パターンであることを識別する。
ステップＳ４１２において、子機４の要求生成部４２及び無線接続部４０が、子機４の無線アドレス及び関連付け要求Ｒ１のコマンドを含む要求信号を親機５に無線送信する。
ステップＳ５１０において、親機５の動作決定部５１及び通信部５７が、要求信号を制御機６に転送する。
【００５９】
ステップＳ６１０において、制御機６の関連付け処理部６２及び通信部６０が、要求信号及びその要求信号に含まれる無線アドレスなどを作業者Ｗの携帯端末７に送信する。
ステップＳ６１２において、関連付け処理部６２及び通信部６０が、携帯端末７（測位モジュール７３）から位置情報を取得する。
なお、ステップＳ６１０及びＳ６１２の代わりに、上述した代替例の位置情報取得処理が実行されてもよい。
【００６０】
ステップＳ６１４において、関連付け処理部６２が、無線アドレスと位置情報とを関連付ける。
ステップＳ６１６において、関連付け処理部６２が、無線アドレスと位置情報とが関連付けられた地図を表示部６７に表示させる。
ステップＳ６１８において、関連付け処理部６２が、関連付けが完了した旨の報告を携帯端末７に送信してもよい。
【００６１】
図４に、関連付け解除要求Ｒ２についての信号フローを示す。
ステップＳ４００において、子機４などに位置する作業者Ｗが、ポール２０に打撃を加える。ここでは、１０秒間の打撃回数が５回であるものとする。
ステップＳ４２０において、子機４の打撃解析部４１が、１０秒間に５回の打撃が行われたこと、すなわち打撃パターンが関連解除用パターンであること識別する。
ステップＳ４２２において、子機４の要求生成部４２及び無線接続部４０が、子機４の無線アドレス及び関連付け解除要求Ｒ２のコマンドを含む要求信号を親機５に無線送信する。
ステップＳ５２０において、親機５の動作決定部５１及び通信部５７が、要求信号を制御機６に転送する。
【００６２】
ステップＳ６２０において、制御機６の関連付け解除部６３が、要求信号に含まれる無線アドレスと、既に関連付けられている位置情報との関連付けを解除する。
ステップＳ６２２において、関連付け解除部６３が、関連付け解除が完了した旨の報告を携帯端末７に送信してもよい。
【００６３】
図５に、作業位置通知要求Ｒ３についての信号フローを示す。
ステップＳ４００において、子機４などに位置する作業者Ｗが、ポール２０に打撃を加える。ここでは、１０秒間の打撃回数が６回であるものとする。
ステップＳ４３０において、子機４の打撃解析部４１が、１０秒間に６回の打撃が行われたこと、すなわち打撃パターンが位置通知用パターンであること識別する。
ステップＳ４３２において、子機４の要求生成部４２及び無線接続部４０が、子機４の無線アドレス及び作業位置通知要求Ｒ３のコマンドを含む要求信号を親機５に無線送信する。
ステップＳ５３０において、親機５の動作決定部５１及び通信部５７が、要求信号を制御機６に転送する。
【００６４】
ステップＳ６３０において、制御機６の作業位置通知部６４が、無線アドレスに既に関連付けられている位置情報が示す位置を作業位置（又は作業者位置）として表示部６７に表示させる。
ステップＳ６３２において、作業位置通知部６４が、作業位置通知が完了した旨の報告を携帯端末７に送信してもよい。
【００６５】
図６に、無線テスト要求Ｒ４についての信号フローを示す。
ステップＳ４００において、子機４などに位置する作業者Ｗが、照明装置２のポール２０に打撃を加える。ここでは、１０秒間の打撃回数が７回であるものとする。
ステップＳ４４０において、子機４の打撃解析部４１が、１０秒間に７回の打撃が行われたこと、すなわち打撃パターンが無線テスト用パターンであること識別する。
ステップＳ４４２において、子機４の要求生成部４２及び無線接続部４０が、子機４の無線アドレス及び無線テスト要求Ｒ４のコマンドを含む要求信号を親機５に無線送信する。
【００６６】
ステップＳ５４０において、親機５の動作決定部５１が、通信テスト部５２に要求信号を出力し、通信テスト部５２を作動させる。
ステップＳ５４２において、親機５の通信テスト部５２が、受信強度測定部５６を用いて子機４との無線通信テストを実行する。すなわち、通信テスト部５２は、テスト用フレームを子機４と送受信する。
ステップＳ５４４において、親機５の通信テスト部５２及び通信部５７は、無線通信テストの判定結果を制御機６に送信する。
【００６７】
ステップＳ６４０において、制御機６の判定結果通知部６５が、判定結果を表示部６７に表示する。あるいは、ステップＳ６４０と並行して又はそれに代替して、ステップ６４２において、制御機６の判定結果通知部６５及び通信部６０が、判定結果を携帯端末７に送信してもよい。
【００６８】
あるいは、ステップ５４４と並行して又はそれに代替して、ステップＳ５４６において、親機５の通信テスト部５２及び無線接続部５０は、無線通信テストの判定結果を示す照明制御信号を子機４に送信してもよい。これに応じて、ステップＳ４４４において、子機４は、その照明制御信号に応じて照明装置２を照明制御する。
【００６９】
以上のように、照明制御システム１は、照明装置２のポール２０の内部又は外部に取り付けられて作業者Ｗによるポール２０への打撃の大きさを打撃検出値として出力するセンサ３と、ポール２０の内部又は外部に取り付けられ、打撃検出値に基づいて打撃パターンを解析する打撃解析部４１、打撃パターンが特定のパターンに対応する場合に特定のパターンに対応するコマンド及び自機の無線アドレスを含む要求信号を生成する要求生成部４２、照明装置２を照明制御する照明制御部４３並びに要求信号を無線送信する無線接続部４５を含む子機４と、無線接続部４５と無線通信可能に構成されて要求信号を受信する無線接続部５５及び要求信号に含まれる無線アドレスに関して行われるべき管理動作を要求信号に含まれるコマンドに基づいて決定する動作決定部５１を含む親機５とを含む。
【００７０】
このように、作業者Ｗによる照明装置２のポール２０への打撃に基づいて、コマンド及び無線アドレスを含む要求信号が子機４から親機５に送信され、コマンドに応じた管理動作が当該無線アドレスに対して決定される。これにより、子機４を照明装置２に設置した後に、子機４を回収するための高所作業、回収した子機４の分解調査、子機設置位置の記録作業などが不要となる。言い換えると、子機４の設置時に後の作業のことを考慮する必要がなく、迅速かつ効率的な子機設置作業が可能となる。これにより、簡易かつ効率的な態様で照明装置２に関する保守管理を行うことを可能とする照明制御システム１が実現される。
【００７１】
明暗反転要求Ｒ０に関して、打撃パターンが照明制御用パターンに対応する場合に、要求生成部４２が要求信号を照明制御部４３に出力し、照明制御部４３は所定制御時間にわたって照明装置２の点消灯状態を変化させるための照明制御信号を出力するように構成される。これにより、作業者Ｗは、当該照明装置２において上記各機能を実行可能なセンサ３及び子機４が設置されていることを容易に知ることができる。ここで、点消灯状態の変化は、相対的に暗い点消灯状態と相対的に明るい点灯状態との反転であることが好ましい。これにより、作業状況に応じて必要な明るさを得ること又は不要な明るさを抑えることが可能となり、保守作業が促進される。
【００７２】
また、本発明の照明装置２に着目すると、照明装置２は、光源２１と、照明制御信号に応じて光源２１に電力を供給する点灯装置２２と、光源２１及び点灯装置２２が取り付けられたポール２０と、ポール２０の内部又は外部に取り付けられてポール２０への打撃の大きさを打撃検出値として出力するセンサ３と、ポール２０の内部又は外部に取り付けられ、打撃検出値に基づいて打撃パターンを解析する打撃解析部４１、打撃パターンが所定パターン（照明制御用パターン）に対応する場合に要求信号を生成する要求生成部４２及び要求信号の生成に応じて所定制御時間にわたって相対的に暗い点消灯状態と相対的に明るい点灯状態とを反転させる照明制御信号を出力する照明制御部４３を含む照明制御用装置としての子機４とを備える。これにより、照明装置２のポール２０への打撃に基づいて光源２１の点消灯状態を所定制御時間にわたって変化させることが可能となるので、当該照明装置２自体の保守作業などにおいて、作業状況に応じて必要な明るさを得ること又は不要な明るさを抑えることができ、保守作業が促進される。
【００７３】
関連付け要求Ｒ１に関して、打撃パターンが関連付け用パターン（第１のパターン）に対応する場合に、要求生成部４２は、管理動作として無線アドレスと無線アドレスに対応する子機４の位置情報とを関連付けるための関連付け要求Ｒ１をコマンドに含め、動作決定部５１が要求信号を制御機６に送信するように構成される。制御機６（関連付け処理部６２）は、関連付け要求Ｒ１に応じて、作業者Ｗの携帯端末７の位置情報を取得して位置情報を要求信号に含まれる無線アドレスに関連付けるように構成される。これにより、作業者Ｗによるポール２０への打撃に基づいて、簡易かつ効率的な態様で、子機４の無線アドレスと位置情報との関連付けが実行可能となる。特に、照明装置２、すなわち、光源２１、点灯装置２２、センサ３及び子機４のいずれもＧＰＳ等の測位機能を有している必要はなく、低コスト性が担保される。ここで、制御機６（関連付け処理部６２）は、無線アドレスと位置情報とが関連付けられた地図を表示部６７に表示させるように構成されることが好ましい。これにより、子機４の設置に関する視覚的管理が促進される。
【００７４】
関連付け解除要求Ｒ２に関して、打撃パターンが関連解除用パターン（第２のパターン）に対応する場合に、要求生成部４２は、管理動作として無線アドレスと無線アドレスに対応する子機４の位置情報との関連付けを解除するための関連付け解除要求Ｒ２をコマンドに含め、動作決定部５１が要求信号を制御機６に送信するように構成される。制御機６（関連付け解除部６３）は、関連付け解除要求Ｒ２に応じて、無線アドレスと位置情報との関連付けを解除する。これにより、子機４の交換などの際に、作業者Ｗによるポール２０への打撃に基づいて、簡易かつ効率的な態様で、それまで設置されていた子機４の無線アドレスと位置情報との関連付けの解除が可能となる。
【００７５】
作業位置通知要求Ｒ３に関して、打撃パターンが位置通知用パターン（第３のパターン）に対応する場合に、要求生成部４２は、管理動作として打撃の位置を作業位置として通知するための作業位置通知要求Ｒ３をコマンドに含め、動作決定部５１が要求信号を制御機６に送信するように構成される。制御機６（作業位置通知部６４）は、作業位置通知要求Ｒ３に応じて、無線アドレスに既に関連付けられている位置情報が示す位置を作業位置として表示部６７に表示する。これにより、作業者Ｗによるポール２０への打撃に基づいて、簡易かつ効率的な態様で、制御機６において作業位置又は作業者Ｗの位置の特定が可能となる。
【００７６】
無線テスト要求Ｒ４に関して、打撃パターンが無線テスト用パターン（第４のパターン）に対応する場合に、要求生成部４２は、管理動作として親機５と子機４の間の無線通信テストを実行するための無線テスト要求Ｒ４をコマンドに含める。親機５は、子機４からの受信信号の強度を測定する受信強度測定部５６及び無線テスト要求Ｒ４に応じて親機５と子機４の間の無線接続状態の良否を受信強度測定部５６を用いて判定する無線通信テストを実行する通信テスト部５２をさらに含む。このように作業者Ｗによるポール２０への打撃に基づいて子機４と親機５の間の無線通信テストが実行されるので、無線通信状態の確認が容易化される。
【００７７】
ここで、通信テスト部５２が無線通信テストの判定結果を制御機６に送信するように構成され、制御機６（判定結果通知部６５）が判定結果を表示部６７に表示するように構成され得る。これにより、無線通信テストの判定結果が制御機６において得られ、照明制御システム１の統括的な保守管理が可能となる。
【００７８】
また、通信テスト部５２が無線通信テストの判定結果を制御機６に送信するように構成され、制御機６（判定結果通知部６５）が判定結果を作業者Ｗの携帯端末７に送信するように構成されてもよい。これにより、作業者Ｗは携帯端末７を介して無線通信テストの判定結果を即座に知ることができ、照明制御システム１の効率的な保守管理作業が可能となる。
【００７９】
また、通信テスト部５２が、無線通信テストの判定結果に応じた点消灯態様を実行するための照明制御信号を子機４に送信するように構成され、照明制御部４３が照明制御信号に応じて照明装置２を照明制御するように構成されてもよい。これにより、作業者Ｗは作業現場の照明によって無線通信テストの判定結果を即座に知ることができ、照明制御システム１の効率的な保守管理作業が可能となる。
【００８０】
＜変形例＞
以上に本発明の好適な実施形態を示したが、本発明は、例えば以下に示すように種々の態様に変形可能である。
【００８１】
（１）センサ３に関する変形
上記実施形態では、打撃の検出に関して、センサ３が加速度センサ又は感振センサであり、打撃検出値が加速度である構成を示した。これにより、打撃に使用されるハンマーなどの道具Ｔの材質にかかわらず、確実に打撃が検出される。一方、センサ３が音響センサであり、打撃検出値が所定周波数の音圧レベルであってもよい。所定周波数は、ポール２０の打撃の際に最も顕著に検出される周波数であればよい。この所定周波数は、専らポール２０の材質、サイズ及び形状などによって決まるため、同じポール２０に対しては概ね同じ周波数となる。これにより、特に打撃に使用されるハンマーなどの道具Ｔが金属、木材などの比較的硬質な材質のものである場合に、高い確度で打撃が検出され得る。
【００８２】
（２）識別可能な打撃パターンに関する変形
上記実施形態では、打撃パターンが所定時間における打撃回数によって識別される構成を示したが、打撃パターンの識別はこの態様に限られない。例えば、打撃パターンは、打撃の周波数（すなわち、短い間隔で速く叩くか、長い間隔で遅く叩くか）に応じて識別されてもよい。あるいは、打撃パターンは、打撃のリズム（例えば、モールス信号のような間隔の長短を組み合わせた打撃）によって識別されてもよい。
【００８３】
（３）道具Ｔに関する変形
上記実施形態では、道具Ｔとしてハンマーなどの一般的な道具を用いる構成を示したが、道具Ｔは専用の打撃装置であってもよい。この場合、例えば、打撃装置は、ポール２０に衝突する打点部材と、打点部材を作動させる可動機構と、可動機構の動作を制御する打撃制御部と、可動機構の動作パターン（すなわち、打撃パターン）を記憶するパターン記憶部と、スイッチなどのユーザ入力部とを備える。ユーザ（作業者Ｗ、照明制御システム１の管理者など）は、予めユーザ入力部を介して所望の打撃パターンをパターン記憶部に登録しておく。作業現場にて、作業者Ｗは、打点部材の可動範囲内にポール２０が入るように打撃装置をセットする（打撃装置を地面においてもよいし、作業者Ｗが打撃装置を保持してもよいし、打撃装置をポール２０にマグネット、フックなどで固定してもよい）。そして、作業者Ｗがユーザ入力部を介して所望の打撃パターンの実行を指示すると、打撃制御部が当該指示とパターン記憶部の登録内容とを参照して指示に応じた打撃パターンで可動機構を作動させる。これにより、作業者Ｗによって選択された打撃パターンが、打撃装置からポール２０に対して実行される。
【００８４】
適用される打撃パターンは、上述した各打撃パターンであってもよいし、より高速な（すなわち打撃間隔の短い）打撃パターンであってもよい。この場合、子機４の打撃解析部４１及び要求生成部４２の設定を適宜変更することにより、打撃パターンの取得及び判定のための所定時間（上記実施形態では１０秒）を、例えば１秒などに大幅に短縮した照明制御システム１が実現可能となり、保守作業が効率化され得る。また、人手により打撃パターンを加える場合と比べて、打撃パターンの実行精度が格段に向上するため、より複雑な打撃パターンを用いた照明制御システム１が実現可能となる。これにより、悪戯による打撃又は偶発的な打撃に起因する不要な動作の防止が容易かつ確実となる。
【００８５】
（４）子機４に関する変形
上記実施形態では、要求Ｒ０〜Ｒ４を実施するために子機４が親機５と無線通信可能な無線子機である構成を示したが、明暗反転要求Ｒ０のみを実施する場合には子機４は無線通信機能を有していなくてもよい。この場合、子機４は、ＣＰＵ４０（打撃解析部４１、要求生成部４２及び照明制御部４３）並びにメモリ４４を備えた照明制御用装置であればよい。
【符号の説明】
【００８６】
１  照明制御システム
２  照明装置
２０  ポール
２０ａ  本体部
２０ｂ  灯具部
２１  光源
２２  点灯装置
３  センサ
４  子機（照明制御用装置）
４１  打撃解析部
４２  要求生成部
４３  照明制御部
４５  無線接続部（子機無線接続部）
５  親機
５１  動作決定部
５２  通信テスト部
５３  照明制御部
５５  無線接続部（親機無線接続部）
５６  受信強度測定部
６  制御機
６２  関連付け処理部
６３  関連付け解除部
６４  作業位置通知部
６５  通信判定出力部
６７  表示部
７  携帯端末
【図１】
2019216072.tif 000003
【図２】
2019216072.tif 000004
【図３】
2019216072.tif 000005
【図４】
2019216072.tif 000006
【図５】
2019216072.tif 000007
【図６】
2019216072.tif 000008